(57)【特許請求の範囲】
【請求項１】
車両のドアに設けられ、前記ドアの窓ガラスを昇降させるウインドレギュレータであって、
前記窓ガラスを保持するキャリアプレートと、
駆動力を発生するモータの作動によって回転駆動されるドラムと、
一端が前記キャリアプレートに連結され、他端が前記ドラムに連結されたワイヤと、
前記ワイヤの前記キャリアプレート側の端部に固定されたワイヤエンドと、
前記ワイヤエンドを収容すると共に、前記ワイヤに張力を付与する方向に付勢力を発生させる付勢部材の伸縮運動によって前記キャリアプレートに設けられた凹溝内で進退移動可能に配置されたスライドブッシュとを備え、
前記スライドブッシュは、前記ワイヤが挿通する挿通孔が形成された基部と、前記基部における前記挿通孔の開口端面を底面とする前記ワイヤエンドの収容穴を構成する側壁とを有し、
前記側壁には、前記ワイヤエンドが前記スライドブッシュの中心軸に沿って前記収容穴の底面から離間する方向に移動した際に前記ワイヤエンドに干渉して前記ワイヤエンドの前記収容穴からの離脱を規制する突出部が形成され、
前記スライドブッシュには、前記ワイヤエンドを前記中心軸に対して傾斜させた状態で前記突出部よりも前記底面側に導入可能な導入口が形成されている、
ウインドレギュレータ。
【請求項２】
前記導入口は、前記収容穴の開口端部側の一部が切り欠いて形成された空間である、
請求項１に記載のウインドレギュレータ。
【請求項３】
前記収容穴の開口端部における前記側壁の内面が、前記収容穴の底面から前記導入口側に向かって前記スライドブッシュの中心軸との距離が徐々に大きくなるように前記中心軸に対して傾斜した傾斜面である、
請求項１又は２に記載のウインドレギュレータ。
【発明の詳細な説明】
【技術分野】
【０００１】
本発明は、ウインドレギュレータに関する。
【背景技術】
【０００２】
従来、車両のドアには、モータの駆動力によって窓ガラスを昇降させるウインドレギュレータが用いられている（例えば、特許文献１参照）。
【０００３】
特許文献１に記載のウインドレギュレータは、窓ガラス（ウインドウガラス）の移動方向に沿って配置されたガイドレールと、ガイドレールに案内され、窓ガラスを保持するキャリアプレート（スライダベース）と、モータの駆動力によって回転駆動されるドラムと、一端がキャリアプレートに連結され、他端がドラムに連結されるワイヤと、ワイヤのキャリアプレート側の端部に固定されたワイヤエンドと、ワイヤエンドを係止する筒状のスライドブッシュとを備える。スライドブッシュには、ワイヤエンドを収容するための収容穴と、ワイヤを挿通するワイヤ挿通孔とが軸方向に連通して形成されている。
【０００４】
スライドブッシュは、キャリアプレートに設けられた箱型状のエンドサポート内にスプリングと共に配置され、このスプリングの伸縮運動に伴ってエンドサポート内の内面に摺動可能に配置されている。また、エンドサポートには、スライドブッシュに挿通されたワイヤをエンドサポートの外部へ導出するための導出溝が形成され、この導出溝から導出されたワイヤがドラム側に連結される。また、スライドブッシュは、スプリングの付勢力によってエンドサポート内の中心部に近接する方向に常時付勢されており、この付勢力によってワイヤに張力が付与されている。
【０００５】
ドラムが回転駆動してワイヤが引張られると、ワイヤエンドが係止されているスライドブッシュが、エンドサポート内をワイヤの引張方向に摺動してエンドサポート内の内面に当接する。これにより、ワイヤの引張力がスライドブッシュを介してエンドサポートに伝達され、キャリアプレートがワイヤの引張方向に移動する。
【先行技術文献】
【特許文献】
【０００６】
【特許文献１】特開平９−１５０６３１号公報
【発明の概要】
【発明が解決しようとする課題】
【０００７】
ところで、この種のウインドレギュレータの組付時において、ワイヤエンドをスライドブッシュの収容穴に挿入する際には、未だワイヤに張力が付与されていないため、一旦スライドブッシュの収容穴に挿入したワイヤエンドがスライドブッシュから離脱してしまうことがあり、これが組付時における作業効率の低下の要因となっていた。この防止策として、例えば収容穴の開口端に抜け止め用の突起を設けることが考えられるが、この場合にはワイヤエンドの挿入時に突起がワイヤエンドに干渉して組付性が低下し、作業効率を低下させてしまうことになる。
【０００８】
そこで、本発明では、ワイヤエンドとスライドブッシュとの組付性を向上させることができるウインドレギュレータを提供することを目的とする。
【課題を解決するための手段】
【０００９】
本発明は、上記課題を解決するため、車両のドアに設けられ、前記ドアの窓ガラスを昇降させるウインドレギュレータであって、前記窓ガラスを保持するキャリアプレートと、駆動力を発生するモータの作動によって回転駆動されるドラムと、一端が前記キャリアプレートに連結され、他端が前記ドラムに連結されたワイヤと、前記ワイヤの前記キャリアプレート側の端部に固定されたワイヤエンドと、前記ワイヤエンドを収容すると共に、前記ワイヤに張力を付与する方向に付勢力を発生させる付勢部材の伸縮運動によって前記キャリアプレートに設けられた凹溝内で進退移動可能に配置されたスライドブッシュとを備え、前記スライドブッシュは、前記ワイヤが挿通する挿通孔が形成された基部と、前記基部における前記挿通孔の開口端面を底面とする前記ワイヤエンドの収容穴を構成する側壁とを有し、前記側壁には、前記ワイヤエンドが前記スライドブッシュの中心軸に沿って前記収容穴の底面から離間する方向に移動した際に前記ワイヤエンドに干渉して前記ワイヤエンドの前記収容穴からの離脱を規制する突出部が形成され、前記スライドブッシュには、前記ワイヤエンドを前記中心軸に対して傾斜させた状態で前記突出部よりも前記底面側に導入可能な導入口が形成されているウインドレギュレータを提供する。
【発明の効果】
【００１０】
本発明に係るウインドレギュレータによれば、組付性を向上させることができる。
【図面の簡単な説明】
【００１１】
【図１】第１の実施の形態に係るウインドレギュレータを示す全体図である。
【図２】ウインドレギュレータの分解斜視図である。
【図３】キャリアプレートを示す平面図である。
【図４】スライドブッシュ、ワイヤエンド、及びコイルばねの構成を示す分解斜視図である。
【図５】ワイヤエンドの加締め工程を説明するための断面図である。
【図６】スライドブッシュを示す平面図であり、（ａ）は上面図、（ｂ）は正面図である。
【図７】図６（ｂ）のＡ−Ａ線断面図である。
【図８】（ａ）〜（ｃ）は、スライドブッシュにワイヤエンドを収容する際の過程を模式的に説明するための断面図である。
【図９】第２の実施の形態に係るスライドブッシュを示す平面図であり、（ａ）は上面図、（ｂ）は正面図である。
【図１０】図９（ｂ）のＢ−Ｂ線断面図である。
【図１１】（ａ）〜（ｃ）は、第２の実施の形態に係るスライドブッシュにワイヤエンドを収容する際の過程を模式的に説明するための断面図である。
【発明を実施するための形態】
【００１２】
［第１の実施の形態］
本発明の実施の形態に係るウインドレギュレータの構成及び動作について、図１乃至８を参照して説明する。
【００１３】
図１は、本実施の形態に係るウインドレギュレータの全体図である。図１では、窓ガラスを仮想線（二点鎖線）で示している。図２は、ウインドレギュレータの分解斜視図である。図３は、キャリアプレート及びキャリアプレートに配置されたスライドブッシュ及びコイルばねを示す平面図である。
【００１４】
このウインドレギュレータ１００は、車両のドアに設けられ、ドアの窓ガラス９０を昇降させる。窓ガラス９０は、図略のガラスガイドに案内され、上下方向に移動する。
【００１５】
ウインドレギュレータ１００は、窓ガラス９０の移動方向に沿って配置されたガイドレール１と、ガイドレール１に案内され、窓ガラス９０を保持するキャリアプレート２と、駆動力を発生するモータ３０の作動によって回転駆動されるドラム３１と、一端がキャリアプレート２に連結され、他端がドラム３１に連結されるワイヤ５と、モータ３０及びドラム３１を保持するハウジング４とを備える。
【００１６】
ワイヤ５は、一端がキャリアプレート２に連結され、他端がガイドレール１の上端に配置されたプーリー１１を介してドラム３１に連結される上昇用ワイヤ５ａと、一端がキャリアプレート２に連結され、他端がガイドレール１の下端に配置されたワイヤガイド１２を介してドラム３１に連結される下降用ワイヤ５ｂとを有する。プーリー１１は、支軸１１０を回転中心として回転可能に配置されている。ワイヤガイド１２は、樹脂からなり、摺動によってワイヤ５を案内する。なお、ガイドレール１の上端にワイヤガイドを用いてもよく、ガイドレール１の下端にプーリーを用いてもよい。
【００１７】
ガイドレール１は、長尺な金属製の部材であり、その長手方向に沿って弓状に湾曲している。また、ガイドレール１は、その長手方向の中央部よりも上端側及び下端側にそれぞれ設けられたブラケット１３，１４を介して図略のドアパネルに取り付けられる。
【００１８】
キャリアプレート２は、板状に形成された樹脂部材であり、その中央部付近には上昇用ワイヤ５ａ及び下降用ワイヤ５ｂの端部にそれぞれ係止される凹溝２０が形成されている。また、キャリアプレート２の左右方向における右端部及び左端部には、窓ガラス９０が接続されるガラス接続部２１，２２がそれぞれ形成されている。
【００１９】
ドラム３１は、円筒状の部材であり、その外周面には螺旋状の溝３１ａが形成されている。また、ドラム３１はガイドレール１の長手方向における中間付近に配置されたハウジング４に保持されている。
【００２０】
ハウジング４は、ドラム３１を収容するドラムハウジング４１と、モータ３０の回転を減速する減速機（図略）を収容するギヤハウジング４２とからなる。ドラムハウジング４１とギヤハウジング４２とは、複数のボルト９１によって相互に締結されている。
【００２１】
キャリアプレート２の凹溝２０には、図３に示すように、上昇用スライドブッシュ７１と、上昇用スライドブッシュ７１を付勢する付勢部材としての上昇用コイルばね８１とが配置されている。同様に、キャリアプレート２の凹溝２０には、下降用スライドブッシュ７２と、下降用スライドブッシュ７２を付勢する下降用コイルばね８２とが配置されている。
【００２２】
凹溝２０の内面は、キャリアプレート２の厚さ方向に貫通した貫通孔２ａが中央部に形成された底面２０ａと、上昇用コイルばね８１と当接する第１当接面２０ｂと、下降用コイルばね８２と当接する第２当接面２０ｃと、上昇用スライドブッシュ７１及び下降用スライドブッシュ７２と摺接して互いに対向する第１摺接面２０ｄ及び第２摺接面２０ｅとで構成されている。
【００２３】
ドラム３１が回転駆動すると、プーリー１１とキャリアプレート２との間における上昇用ワイヤ５ａの長さと、ワイヤガイド１２とキャリアプレート２との間における下降用ワイヤ５ｂの長さが変化する。
【００２４】
つまり、キャリアプレート２の下降時におけるドラム３１の回転方向を正方向（図１で時計回り方向）とし、キャリアプレート２の上昇時におけるドラム３１の回転方向を逆方向（図１で反時計回り方向）とすると、ドラム３１が正方向に回転することにより、プーリー１１とキャリアプレート２との間における上昇用ワイヤ５ａの長さが長くなると共にワイヤガイド１２とキャリアプレート２との間における下降用ワイヤ５ｂの長さが短くなる。また、ドラム３１が逆方向に回転することにより、プーリー１１とキャリアプレート２との間における上昇用ワイヤ５ａの長さが短くなると共にワイヤガイド１２とキャリアプレート２との間における下降用ワイヤ５ｂの長さが長くなる。この長さの変化に応じて、キャリアプレート２がガイドレール１に対して上下方向に移動する。
【００２５】
次に、上昇用ワイヤエンド６１，上昇用スライドブッシュ７１及び上昇用コイルばね８１の構成について図４乃至図８を参照して説明する。なお、上昇用ワイヤエンド６１（以下、ワイヤエンド６１とする），上昇用スライドブッシュ７１（以下、スライドブッシュ７１とする）及び上昇用コイルばね８１（以下、コイルばね８１とする）と、下降用ワイヤエンド（不図示），下降用スライドブッシュ７２及び下降用コイルばね８２とは、ウインドレギュレータ１００における配置の向きが異なる他、構成は同一であるため、下降用ワイヤエンド，下降用スライドブッシュ７２及び下降用コイルばね８２についての説明は省略する。
【００２６】
図４は、スライドブッシュ７１、ワイヤエンド６１、及びコイルばね８１の構成を示す斜視図である。図５は、ワイヤエンド６１の加締め工程を説明するための模式図であり、ワイヤエンド６１を上昇用ワイヤ５ａの軸方向に沿って見たときの断面図である。図６は、スライドブッシュ７１を示す平面図であり、（ａ）は上面図、（ｂ）は正面図である。図７は、図６（ｂ）のＡ−Ａ線断面図である。図８（ａ）〜（ｃ）は、ワイヤエンド６１をスライドブッシュ７１に収容する際の過程を模式的に説明するための断面図であり、（ａ）はワイヤエンド６１の収容穴７１２への挿入前の状態を示し、（ｂ）はワイヤエンド６１の挿入中の状態を示し、（ｃ）はワイヤエンド６１の挿入後の状態を示している。
【００２７】
スライドブッシュ７１は、略円筒状の樹脂成形体であり、キャリアプレート２における凹溝２０（図３に示す）内に配置されている。また、スライドブッシュ７１は、コイルばね８１の伸縮運動によって凹溝２０内で進退移動可能である。
【００２８】
上昇用ワイヤ５ａのキャリアプレート２（図１乃至図３に示す）側の端部には、図４に示すように、略直方形状からなるワイヤエンド６１が固定されている。ワイヤエンド６１は、例えば亜鉛等の金属からなる部材であり、図５に示すＶ字状の加締め溝９０１ａが形成された一対の加締め器具９０１による加締めによって上昇用ワイヤ５ａの端部に固定される。
【００２９】
より詳細には、図５（ａ）に示すように、先ず、上昇用ワイヤ５ａの端部にワイヤエンド６１となる円筒状の金具６１０を挿通し、このワイヤエンド６１を一対の加締め器具９０１の加締め溝９０１ａの間に挟む位置に配置する。そして、一対の加締め器具９０１を互いに近接する方向（図５（ａ）に示す矢印方向）に移動させて、円筒状の金具６１０を一対の加締め溝９０１ａで外周側から加締めることにより、略直方形状のワイヤエンド６１が形成される。
【００３０】
スライドブッシュ７１は、上昇用ワイヤ５ａを挿通する挿通孔７１０ａ及びワイヤエンド６１を収容する収容穴７１２からなる段付き孔が中心部に形成された円筒状の円筒部７１０と、円筒部７１０よりも大径に形成された鍔部７１１とを一体に有している。鍔部７１１は、収容穴７１２の開口端部における円筒部７１０の外周面から突出して形成されている。また、スライドブッシュ７１には、収容穴７１２の開口端部の一部を切り欠いて形成された空間として導入口７１９が形成されている。
【００３１】
スライドブッシュ７１の鍔部７１１は、図６（ａ）及び（ｂ）に示すように、コイルばね８１（図３及び図４に示す）とは反対側を指向する軸方向端面が下降用スライドブッシュ７２と対向する対向面７１１ａとして形成され、対向面７１１ａとは反対側の軸方向端面がコイルばね８１の一端と当接する当接面７１１ｂとして形成されている。また、鍔部７１１の外周面は、キャリアプレート２における凹溝２０の第１摺接面２０ｄ及び第２摺接面２０ｅと摺動する摺動面７１１ｃとして形成される。
【００３２】
コイルばね８１は、一端が鍔部７１１の当接面７１１ｂに当接すると共に他端がキャリアプレート２における凹溝２０の第１当接面２０ｂ（図３に示す）に当接し、軸方向に圧縮されている。また、スライドブッシュ７１の円筒部７１０は、コイルばね８１内に配置される。これにより、スライドブッシュ７１は、キャリアプレート２における凹溝２０の第１当接面２０ｂから離間する方向に常時付勢され、上昇用ワイヤ５ａに張力が付与される。
【００３３】
スライドブッシュ７１の円筒部７１０は、挿通孔７１０ａが形成された基部７１３と、基部７１３における挿通孔７１０ａの開口端面を底面７１３ａとしてワイヤエンド６１を収容する収容穴７１２を構成する複数の側壁（後述する第１乃至第４側壁７１４〜７１７）とを有している。この収容穴７１２は、図６（ａ）に示すように、スライドブッシュ７１の中心軸Ｃに沿って対向面７１１ａ側から見た場合の形状が略矩形状であり、軸方向に深さを有する角穴として形成されている。
【００３４】
円筒部７１０の複数の側壁は、スライドブッシュ７１の中心部に向かって突出した突出部７１８が形成された第１側壁７１４と、第１側壁７１４と対向し、第１側壁７１４よりも中心軸Ｃに沿った方向における底面７１３ａからの高さが低く形成された第２側壁７１５と、第１及び第２側壁７１４，７１５の間に介在し、かつ互いに対向する第３及び第４側壁７１６，７１７とからなる。第１側壁７１４の内面７１４ａと第２側壁７１５の内面７１５ａとは互いに対向する。
【００３５】
ここで、図７に示すように、第１側壁７１４の底面７１３ａからの高さをＨ１、第２側壁７１５の底面７１３ａからの高さをＨ２とすると、第１側壁７１４の高さＨ１と第２側壁７１５の高さＨ２の差（Ｈ１−Ｈ２）は、例えば２ｍｍ〜３ｍｍの範囲で設定される。
【００３６】
突出部７１８は、図６（ａ）及び（ｂ）に示すように、収容穴７１２の開口端側における第１側壁７１４の内面に設けられ、第１側壁７１４の内面７１４ａから導入口７１９を介して中心軸Ｃと直交する方向にスライドブッシュ７１の外部を指向している。また、突出部７１８は、図７に示すように、スライドブッシュ７１の中心軸Ｃと直交する方向に沿って第３側壁７１６側から見たときの形状が半円状であり、第１側壁７１４の内面７１４ａからの突出高さは、例えば０．２ｍｍである。
【００３７】
導入口７１９は、スライドブッシュ７１の側壁の一部が中心軸Ｃと直交する方向に貫通して形成される。本実施の形態では、導入口７１９は、図６（ａ）及び（ｂ）に示すように、円筒部７１０の周方向の第２側壁７１５に対応する部位を凹状に切り欠いて形成された空間である。
【００３８】
スライドブッシュ７１の円筒部７１０は、スライドブッシュ７１の周方向に導入口７１９を介して向かい合う一対の周方向端面として第１端面７１９ａ及び第２端面７１９ｂを有する。
【００３９】
図６（ａ）に示すように、第１端面７１９ａは第３側壁７１６の内面７１６ａと同一平面上に連続して形成され、第２端面７１９ｂは第４側壁７１７の内面７１７ａと同一平面上に連続して形成されている。つまり、第１端面７１９ａと第２端面７１９ｂとの間の距離は、第３側壁７１６の内面７１６ａと第４側壁７１７の内面７１７ａとの間の距離と同等である。
【００４０】
ウインドレギュレータ１００の組付時において、ワイヤエンド６１をスライドブッシュ７１の収容穴７１２内に収容する際には、先ず、図８（ａ）に示すように、ワイヤエンド６１はスライドブッシュ７１の中心軸Ｃに対して第２側壁７１５側に傾斜した状態でスライドブッシュ７１の導入口７１９から挿入される。
【００４１】
そして、導入口７１９から挿入されたワイヤエンド６１は、図８（ｂ）に示すように、第２側壁７１５の上端側の端部と接触すると共に、突出部７１８よりも底面７１３ａ側を通過して収容穴７１２内へ進入する。つまり、ワイヤエンド６１を導入口７１９から挿入することによって、ワイヤエンド６１はスライドブッシュ７１の中心軸Ｃに対して傾斜した状態で突出部７１８よりも底面７１３ａ側に導入される。
【００４２】
更にワイヤエンド６１が収容穴７１２の底面７１３ａ側に進入すると、図８（ｃ）に示すように、ワイヤエンド６１が収容穴７１２の底面７１３ａと当接し、ワイヤエンド６１がスライドブッシュ７１の収容穴７１２内に収容される。
【００４３】
この状態において、ワイヤエンド６１は突出部７１８よりも底面７１３ａ側に配置されている。すなわち、ワイヤエンド６１がスライドブッシュ７１の中心軸Ｃに沿って収容穴７１２の底面７１３ａから離間する方向に移動した場合には、突出部７１８がワイヤエンド６１と干渉するように構成されている。これにより、ワイヤエンド６１のスライドブッシュ７１の収容穴７１２からの離脱が規制されている。
【００４４】
（第１の実施の形態の作用及び効果）
以上説明した実施の形態によれば、以下に述べる作用及び効果を得ることができる。
【００４５】
スライドブッシュ７１にはワイヤエンド６１の離脱を規制する突出部７１８が形成され、かつワイヤエンド６１を傾斜させた状態で突出部７１８よりも収容穴７１２の底面７１３ａ側に導入可能な導入口７１９が形成されているので、ワイヤエンド６１の挿入時にワイヤエンド６１を突出部７１８に接触させることなく底面７１３ａ側へ挿入することができる。これにより、ワイヤエンド６１のスライドブッシュ７１への挿入作業が容易になると共に、一度収容されたワイヤエンド６１が離脱して再度ワイヤエンド６１をスライドブッシュ７１に収容する作業が不要となる。すなわち、ワイヤエンド６１とスライドブッシュ７１との組付性が向上する。
【００４６】
［第２の実施の形態］
次に、第２の実施の形態について図９乃至図１１を参照して説明する。図９は、本実施の形態に係るスライドブッシュ７１の平面図であり、（ａ）は上面図、（ｂ）は正面図である。図１０は、図９（ｂ）のＢ−Ｂ線断面図である。図１１（ａ）〜（ｃ）は、ワイヤエンド６１をスライドブッシュ７１に収容する際の過程を模式的に説明するための断面図であり、（ａ）はワイヤエンド６１の収容穴７１２への挿入前の状態を示し、（ｂ）はワイヤエンド６１の挿入中の状態を示し、（ｃ）はワイヤエンド６１の挿入後の状態を示している。
【００４７】
また、第２の実施の形態に係るウインドレギュレータは、そのスライドブッシュ７１の形状が異なり、ウインドレギュレータにおけるその他の構成は第１の実施の形態と同様であるので、第２の実施の形態において第１の実施の形態について説明したものと共通する機能を有する構成要素については、同一の又は対応する符号及び名称を付してその説明を省略する。
【００４８】
本実施の形態に係るスライドブッシュ７１は、その第２側壁７１５Ａの形状が第１の実施の形態に係る第２側壁７１５と異なる。具体的には、第１の実施の形態に係る第２側壁７１５は中心軸Ｃに沿った方向における底面７１３ａからの高さが第１側壁７１４よりも低く形成されていたが、本実施の形態に係る第２側壁７１５は第１側壁７１４と高さが同等に形成されている。
【００４９】
また、この形状の差異に伴って、本実施の形態に係る導入口７１９Ａが、第１の実施の形態に係る導入口７１９の構成と異なる。具体的には、第１の実施の形態に係る導入口７１９は、円筒部７１０の周方向の第１側壁７１４に対応する部位を凹状に切り欠いて形成された空間であるのに対し、本実施の形態に係る導入口７１９Ａは、側壁の収容穴７１２の開口側の端部を残して中心軸Ｃに対して傾斜した方向に沿って側壁の内面を切り欠いて形成された空間である。
【００５０】
第２側壁７１５Ａの内面は、図９（ｂ）に示すように、スライドブッシュ７１の中心軸Ｃと平行な方向に沿って形成された平坦面７１５Ｂと、収容穴７１２の底面７１３ａから導入口７１９Ａ側に向かってスライドブッシュ７１の中心軸Ｃとの距離が徐々に大きくなるように中心軸Ｃに対して傾斜した傾斜面７１５Ｃとが形成されている。傾斜面７１５Ｃは、収容穴７１２の開口端部における第２側壁７１５Ａの内面に形成されている。
【００５１】
ワイヤエンド６１をスライドブッシュ７１の収容穴７１２に収容する際には、先ず、中心軸Ｃに沿って収容穴７１２内へ挿入する。この際、ワイヤエンド６１は、図１１（ａ）に示すように、突出部７１８に接触すると共に第２側壁７１５Ａ側に押されて、第２側壁７１５Ａの傾斜面７１５Ｃにも接触した状態となる。
【００５２】
この状態からワイヤエンド６１が底面７１３ａ側に進入すると、図１１（ｂ）に示すように、ワイヤエンド６１は突出部７１８との接点を支点として導入口７１９Ａ側に傾斜する。
【００５３】
そして、ワイヤエンド６１は導入口７１９Ａから傾斜面７１５Ｃに沿って突出部７１８よりも底面７１３ａ側を通過して収容穴７１２内の底面７１３ａ側に案内される。つまり、ワイヤエンド６１は導入口７１９Ａ側の傾斜面７１５Ｃによって、スライドブッシュ７１の中心軸Ｃに対して傾斜した状態で突出部７１８よりも底面７１３ａ側に導入される。
【００５４】
更にワイヤエンド６１が収容穴７１２の底面７１３ａ側に進入すると、図１１（ｃ）に示すように、ワイヤエンド６１が収容穴７１２の底面７１３ａと当接し、ワイヤエンド６１がスライドブッシュ７１の収容穴７１２内に収容される。
【００５５】
なお、この状態において、第１の実施の形態と同様に、ワイヤエンド６１がスライドブッシュ７１の中心軸Ｃに沿って収容穴７１２の底面７１３ａから離間する方向に移動した場合には、突出部７１８がワイヤエンド６１と干渉して、ワイヤエンド６１のスライドブッシュ７１からの離脱が規制されている。
【００５６】
以上、説明した第２の実施の形態によれば、第１の実施の形態と同様の作用及び効果を得ることができる。また、第２側壁７１５Ａの内面に傾斜面７１５Ｃが形成されているので、ワイヤエンド６１の挿入時に、ワイヤエンド６１を傾斜面７１５Ｃによって収容穴７１２の底面７１３ａ側に案内することができる。これにより、第１の実施の形態に比較してより挿入作業が容易となる。すなわち、さらに組付性が向上する。
【００５７】
以上、本発明について実施の形態に基づいて説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【００５８】
なお、本実施の形態では、ワイヤエンド６１が略直方形状であったが、これに限定されるものではない。例えばワイヤエンド６１は円柱状でもよく、これに伴ってスライドブッシュ７１の収容穴７１２も円形でもよい。
【００５９】
また、本実施の形態では、第１側壁７１４に単一の突出部７１８が形成されている場合のみについて説明したが、突出部の数はこれに限定されるものではない。例えば、突出部７１８は、第１側壁７１４のみならず他の複数の側壁（第２乃至第４側壁７１５〜７１７）にそれぞれ形成されていてもよい。また、単一の側壁に複数の突出部７１８が形成されていてもよい。
【００６０】
また、上記実施の形態について上昇用ワイヤエンド６１及び上昇用スライドブッシュ７１について説明してきたが、下降用ワイヤエンド及び下降用スライドブッシュ７２についても構成は同様であるため、同様の作用効果を得ることができる。
【００６１】
またさらに、上記実施の形態では、ドラム３１がガイドレール１の長手方向における中間付近に配置されたウインドレギュレータについてのみ説明したが、これに限定されず駆動源の駆動力によって窓ガラスを移動させることができる構成であればよい。例えば、モータ及びドラムがガイドレールの下端に設けられ、窓ガラスと共にモータが移動する自走式のウインドレギュレータであってもよい。また、運転者等の手動操作によって駆動させる手動式のウインドレギュレータでもよい。
【符号の説明】
【００６２】
１…ガイドレール、２…キャリアプレート、２ａ…貫通孔、４…ハウジング、５…ワイヤ、５ａ…上昇用ワイヤ、５ｂ…下降用ワイヤ、１１…プーリー、１２…ワイヤガイド、１３，１４…ブラケット、２０…凹溝、２０ａ…底面、２０ｂ…第１当接面、２０ｃ…第２当接面、２０ｄ…第１摺接面、２０ｅ…第２摺接面、２１，２２…ガラス接続部、３０…モータ、３１…ドラム、３１ａ…溝、４１…ドラムハウジング、４２…ギヤハウジング、６１…上昇用ワイヤエンド（ワイヤエンド）、６１０…金具、７１…上昇用スライドブッシュ（スライドブッシュ）、７２…下降用スライドブッシュ、８１…上昇用コイルばね、８２…下降用コイルばね、９０…窓ガラス、９１…ボルト、１００…ウインドレギュレータ、１１０…支軸、７１０…円筒部、７１０ａ…挿通孔、７１１…鍔部、７１１ａ…対向面、７１１ｂ…当接面、７１１ｃ…摺動面、７１２…収容穴、７１３…基部、７１３ａ…底面、７１４…第１側壁、７１５，７１５Ａ…第２側壁、７１５Ｂ…平坦面、７１５Ｃ…傾斜面、７１６…第３側壁、７１７…第４側壁、７１４ａ，７１５ａ，７１６ａ，７１７ａ…内面、７１８…突出部、７１９，７１９Ａ…導入口、７１９ａ…第１端面、７１９ｂ…第２端面、９０１…加締め器具、９０１ａ…加締め溝
【図１】
0006436810.tif 000002
【図２】
0006436810.tif 000003
【図３】
0006436810.tif 000004
【図４】
0006436810.tif 000005
【図５】
0006436810.tif 000006
【図６】
0006436810.tif 000007
【図７】
0006436810.tif 000008
【図８】
0006436810.tif 000009
【図９】
0006436810.tif 000010
【図１０】
0006436810.tif 000011
【図１１】
0006436810.tif 000012